(57)【特許請求の範囲】
【請求項１】
刈刃４０と、該刈刃４０を覆うモアデッキ５によりモア部Ｍを構成し、該モア部Ｍより離れた位置にエンジンＥを設け、前記エンジンＥより後方にメインハンドル１を延出し、
前記モア部ＭとエンジンＥの間にギアケース２０を配置し、該ギアケース２０をエンジンＥに連結された伝動軸側ギアケース２１と、刈刃４０の駆動軸３１を支持する駆動軸側ギアケース２６より構成し、両ギアケース２１・２６を機体の左右方向の連結軸３０の軸芯で回動自在に連結した浮上型モアにおいて、
前記駆動軸３１に締付固定される刈刃４０とモアデッキ５の下面との間に、刈刃４０と一体的に回転する下向き椀状の導風板４１を設け、この導風板４１の上面に複数の遠心ファン４３を設け、
前記モアデッキ５は、前記導風板４１より大きい椀状に構成し、モアデッキ５の下端部を刈刃４０より下方に延出したことを特徴とする浮上型モア。
【発明の詳細な説明】
【０００１】
【発明の属する技術分野】
本発明は、風圧により刈取部を浮上させて、草刈り作業を行う浮上型モアに関する。
【０００２】
【従来の技術】
従来、伝動軸を内装した連結パイプの先端に刈刃を、後端にエンジンを設け、作業者がベルトにより機体を肩から吊下げつつ連結パイプに取り付けた操作ハンドルを作業者が把持し刈刃を左右に揺動させて草刈り作業を行う携帯タイプの刈払機が使用されている。
また、前記構造の刈払機において長時間作業における作業者の荷重負担を軽減するために車輪を設けたものも知られている（実開昭５９−１２４４２４号公報、特開平８−１１２０１８号公報）。
更に、携帯タイプの刈払機の操作性および可搬性を維持しつつ、携帯タイプの刈払機による作業では困難とされている一定長さの刈取り作業を容易にして整然とした刈取り後を残すことができるとともに、作業者の操作荷重を軽減するために、刈刃と一体的に回転するファンにより、刈刃の上部を覆うモアデッキ上部もしくは側面から空気を吸引し、モアデッキ内に空気圧を発生させることにより地面に対して一定の高さを維持して機体を浮上させつつ刈り取り作業を行う浮上型モアが知られている（特公平１−１５２４２号公報、実公昭６１−１８６５６号公報、実開昭５８−１１５９２５号公報、実開昭５８−１１５９２６号公報、実開昭５９−１８２１２２号公報、実開昭６３−１８１２１６号公報、実開昭６３−１８１２１８号公報）。
【０００３】
【発明が解決しようとする課題】
特公平１−１５２４２号公報、実開昭５８−１１５９２５号公報、実開昭５８−１１５９２６号公報、実開昭５９−１８２１２２号公報、実開昭６３−１８１２１８号公報において開示されている浮上型モアにおいては、刈刃およびファンを駆動するためのエンジンがモアデッキの上部に直接載置固定されているため、フェンスや植栽等の障害物の下方空間にある草を刈り取る場合においてエンジンが障害物に接触し奥深くまで刈り取ることができなかった。また、エンジンの重量がデッキ部にかかって作業機全体の重心が前部に偏るため、刈取部の浮上効率が悪くなり、左右および前後方向への揺動操作が行いづらくなっていた。更に、エンジン近傍に空気の吸入口があるため、空気の吸入効率が悪く、刈り取られた草や土挨り等がエンジンのエアクリーナに詰まり易くなっていた。
【０００４】
また、実公昭６１−１８６５６号公報および実開昭６３−１８１２１６号公報に開示された浮上式の刈払機にあっては、エンジンが連結パイプの後端に設けられているものの、従来の携帯タイプの刈払機と同様に機体の重量は作業者の肩にかかるとともに、エンジンが作業者の身体に干渉して機体を前後方向に揺動し刈取り作業を行うことが困難となっていた。
【０００５】
【課題を解決するための手段】
本発明は、以上のような課題を解決するために、次のような手段を用いる。
刈刃４０と、該刈刃４０を覆うモアデッキ５によりモア部Ｍを構成し、該モア部Ｍより離れた位置にエンジンＥを設け、前記エンジンＥより後方にメインハンドル１を延出し、前記モア部ＭとエンジンＥの間にギアケース２０を配置し、該ギアケース２０をエンジンＥに連結された伝動軸側ギアケース２１と、刈刃４０の駆動軸３１を支持する駆動軸側ギアケース２６より構成し、両ギアケース２１・２６を機体の左右方向の連結軸３０の軸芯で回動自在に連結した浮上型モアにおいて、前記駆動軸３１に締付固定される刈刃４０とモアデッキ５の下面との間に、刈刃４０と一体的に回転する下向き椀状の導風板４１を設け、この導風板４１の上面に複数の遠心ファン４３を設け、前記モアデッキ５は、前記導風板４１より大きい椀状に構成し、モアデッキ５の下端部を刈刃４０より下方に延出したものである。
【０００６】
【本発明の実施の形態】
本発明が解決しようとする課題及び解決するための手段は以上の如くであり、次に添付の図面に示した実施例の構成を説明する。
図１は浮上型モアの全体側面図、図２は浮上側型モアの全体平面図、図３はギアケース下部に固設するモア部を示す部分正面図、図４はギアケースの部分正面断面図、図５はモア部の内部構成を示す側面断面図、図６は傾斜面に使用した場合の浮上型モアを示す側面図である。
【０００７】
図１、図２において浮上型モアの全体構成から説明する。
該浮上型モアＡは、草の刈り取りを行うモア部Ｍを前部に配設し、該モア部Ｍの後上方には、該モア部Ｍ内に動力を伝達する動力伝達部Ｄを配設し、その後方にメインハンドル１を突出している。
前記モア部Ｍは、周囲をモアデッキ５に包囲され、該モアデッキ５の上部に開口する導風口６より空気を導入してモアデッキ５内の圧力を高めて、モアデッキ５下方より空気を吹き出すことでモア部Ｍを浮上させて前後左右に移動させながら草の刈り取り作業を行えるようにしている。
【０００８】
前記メインハンドル１は側面視において略「へ」字状に構成され、上端にグリップ２を形設し、メインハンドル１の上部途中部にサイドハンドル３を配設している。該サイドハンドル３の端部にグリップ４を形成し、サイドハンドル３をメインハンドル１に対して直交方向に延出して固定部１０で固設している。
また、前記固定部１０は、Ｕ字型のボルト等で締め付けられ、緩めることでサイドハンドル３を図２に示す破線３’の如くにメインハンドル１を中心に１８０°回動させて固定して、左右反対側でも作業できるようにしている。
【０００９】
次に、前記動力伝達部Ｄは、エンジンＥとクラッチケース１１と連結パイプ１２とギアケース２０より構成されており。連結パイプ１２とギアケース２０によってエンジンＥをモア部Ｍより後方に離れた位置に配設し、前記クラッチケース１１は内部に遠心クラッチを内蔵しており、連結パイプ１２内部に配設する伝動軸１３に動力を伝達している。
該連結パイプ１２の下部にはギアケース２０を配しており、ギアケース２０を介してモア部Ｍに動力を伝達するように構成している。また、前記連結パイプ１２の下部にはハンドルホルダ１４を固設してメインハンドル１の下端部に固設している。更に、前記エンジンＥのキャブに空気を導入するインレットホース１５をメインハンドル１に沿って、その端部をサイドハンドル３の近傍位置まで延出し、インレットホース１５の端部にエアークリーナ１６を配設しており、モア部Ｍより離れた位置で刈草も粉塵の少ない空気を吸引して、エアークリーナ１６が詰まらないようにしている。
【００１０】
次に、前記ギアケース２０に付いて図３、図４を用いて説明する。
前記ギアケース２０は、伝動軸側ギアケース２１と駆動軸側ギアケース２６とに分割構成されており、図４の正面図に示すように、前記モアデッキ５の上面には左右二箇所、上方にステー９・９を突出し、該ステー９・９の上端部にギアケース２０を枢支している。
即ち、前記伝動軸側ギアケース２１は伝動軸１３を軸支し、該伝動軸側ギアケース２１の下端部にギア室２２を形成し、下端部の左側に左右方向に軸芯を有する枢支管２３を形成し、該枢支管２３の端部をステー９の側面に回動自在に嵌入している。前記ギア室２２の右側は開放状態にし、ギア室２２の右側面には側面視環状の係合溝２４を形成している。
【００１１】
一方、前記駆動軸側ギアケース２６は、モアデッキ５に対して垂直方向に駆動軸３１を枢支し、該駆動軸側ギアケース２６の上部にギア室２７を形成し、該ギア室２７の右側に左右方向に軸芯を有する嵌合管２８を形成している。
前記ギア室２７の左側は開放状態にし、左端面は前記伝動軸側ギアケース２１に形成した係合溝２４に嵌合する円環状の係合体２９を形成している。また、前記駆動軸側ギアケース２６の下部にモアデッキ５の中央上面に載置固定するための固定部３２を形設している。更に、駆動軸側ギアケース２６の嵌合管２８の端部をステー９に固設している。
【００１２】
このように駆動軸側ギアケース２６の係合体２９を伝動軸側ギアケース２１の係合溝２４内に係合して、連結軸３０を枢支管２３と嵌合管２８内に挿入し、連結軸３０の端部を他方のステー９の側方に突出して座金３６を介してナット３７を用いて螺合して、モア部Ｍを連結軸３０を中心に回動自在にしている。
そして、前記ギア室内の連結軸３０上にベアリングを介して中間伝達ギア３３が枢支され、該中間伝動ギア３３の左右端部には左右ベベルギア３４・３５を形成している。該左ベベルギア３４は前記伝動軸１３の下端に形成したベベルギア３８と噛合し、右ベベルギア３５は駆動軸３１の上端に形成したベベルギア３９と噛合させている。
従って、前記伝動軸側ギアケース２１を連結軸３０を中心に回動させると、左ベベルギア３４上を駆動軸３１のベベルギア３８が噛合しながら回動するので、駆動軸３１への動力を絶えることなく伝達できる。
【００１３】
次に、前記モア部Ｍに付いて図５を用いて説明する。
該モア部Ｍは、前記駆動軸側ギアケース２６の外周面上にモアデッキ５を嵌合固定し、該モアデッキ５の内部に、刈刃４０と、本体を浮上する為の空気を案内する導風板４１を配設している。これらの刈刃４０と導風板４１は、駆動軸側ギアケース２６に鉛直下方に枢支する駆動軸３１に固定されている。
即ち、前記導風板４１は椀状に構成して、下面中心部にボス部４２を形設し、該ボス部４２に駆動軸３１の下部に嵌合固定している。そして、該ボス部４２の下端にスペーサー４５・４５を介して刈刃４０を下面より締付ボルト４６によって螺合して固定して、刈刃４０と導風板４１とを一体的に回動するようにしている。
また、前記モアデッキ５は、前記導風板４１より一回り大きい椀状に構成されており、モアデッキ５の下端部を刈刃４０より下方に延出して地面と当接する当接面７を形成し、該当接面７より外側上方に縁部８を形成している。更に、前記モアデッキ５の中央部に導風口６を開口し、駆動軸側ギアケース２６とモアデッキ５の間を取付ステー４９・４９で連結固定している。
【００１４】
そして、前記導風板４１の上面に複数個の遠心ファン４３・４３・・・を突出している。該遠心ファン４３・４３・・・は導風板４１上よりモアデッキ５の下面まで延出し、導風板４１の回動とともに遠心ファン４３・４３・・・も回転して導風口６よりモアデッキ５内に空気を吸引し、導風板４１とモアデッキ５の下面との間を図６の矢印の如くに下降流ｘを発生させて、モア部Ｍを浮上させるとともに、この下降流ｘの一部を旋回流ｙとして導風板４１の下内面に吹き込むようにして、草を浮き上がらせるようにしている。
【００１５】
このように構成して、エンジンＥを駆動すると、その回転はクラッチケース１１内の遠心クラッチを介して伝動軸１３に伝達され、中間伝動ギア３３から駆動軸３１に伝達される。該駆動軸３１の回動によって刈刃４０と導風板４１とを一体的に回転し、導風板４１上面に形成された遠心ファン４３・４３・・・の回動により空気がモアデッキ５上面の導風口６より吸入され、吸入された空気はモアデッキ５内面と導風板４１との間を通り、下方へ吹き出し、この風の一部は草を立ち上がらせながら導風板４１の下面方向へ流れており、導風板４１内部の圧力を高めて、モアデッキ５が均等に浮上させ、刈刃４０により草が一定の長さに刈取られる。
また、エンジンＥ等の動力伝達部Ｄをモア部Ｍ上方より後方に位置させているので、前記モア部Ｍを用いてフェンスの下方空間、或いは、植栽の下側に植生する草をモア部Ｍを前後方向に動かし横移動しつつ刈取り作業をすることができる。
更に、前記モア部Ｍを図６に示すような傾斜面で作業させると、駆動軸側ギアケース２６と伝動軸側ギアケース２１とによりギアケース２０の途中部が回動自在であり、モア部Ｍを傾斜面（刈取り面）と平行状に浮上して、特に作業者がメインハンドル１を操作してモア部Ｍを傾斜面に対して平行状態に操作しなくても傾斜面での刈取作業を均一に行える。
【００１６】
【発明の効果】
本発明は以上のように構成したことにより次のような効果を奏する。
即ち、モアデッキに対してエンジンが離間して設置されているため、モアデッキ上に空間的余裕ができるので、モア部を浮上させるための空気を取り入れる吸引の抵抗となる障害物をなくすので、遠心ファンによる空気の吸入効率が高まる。
また、刈り取られた草や土埃等の異物の舞う刈取面より高い位置にエンジンを配しているので、エアクリーナーに供給される空気中の異物が少なくなる。
更に、モアデッキをフェンスや植栽の下部空間に差し込むことができ奥深くまで刈り込むことができ、様々な箇所の刈り取り作業に適した構成にしている。
【００１７】
また、ハンドル側に対してモアデッキがギアケース側において自由に回動するよう連結されているため、モアデッキの下方に吹き出す風の風圧により、モアデッキと刈取り面とが平行状態に自動的に調整され、刈取り面の傾斜もしくは作業者の体格にかかわらず均一な刈取り状態を得ることができ、作業者は無理のない姿勢で作業することができる。
また、ギアケースの回動軸芯が機体の前後方向に対して直交する状態、即ち、ハンドル側に対してモアデッキが前後方向にのみ揺動する状態に連結されているので、モアデッキを左右方向に振った場合にその反動によりモアデッキが不用意に回動してしまうことがなく、左右の往復刈りを安定して行うことができる。
【００１８】
また、遠心ファンが一体的に形成される導風板を下向きの椀状に形成し、モアデッキは、前記導風板４１より大きい椀状に構成し、モアデッキの下端部を刈刃より下方に延出したことにより、導風板内に流入する風によってにより草が立ち上がるため、刈り残しがなく、刈取面を均平に仕上げることができる。
また、導風板の下面が風圧の受けになるため、モアデッキの浮上力が増加するので、作業者はメインハンドルとサブハンドルを軽く把持して作業でき、作業者による負担が軽減され長時間に渡る広域な作業も可能にしている。
【図面の簡単な説明】
【図１】浮上型モアの全体側面図である。
【図２】浮上側型モアの全体平面図である。
【図３】ギアケース下部に固設するモア部を示す部分正面図である。
【図４】ギアケースの部分正面断面図である。
【図５】モア部の内部構成を示す側面断面図である。
【図６】傾斜面に使用した場合の浮上型モアを示す側面図である。
【符号の説明】
Ａ      浮上型モア
Ｅ      エンジン
１      メインハンドル
３      サブハンドル
５      モアデッキ
６      導風口
１２    連結パイプ
１３    伝動軸
２０    ギアケース
２１    伝動軸側ギアケース
２６    駆動軸側ギアケース
３１    駆動軸
４０    刈刃
４１    導風板
４３    遠心ファン
【図１】
0003612635.tif 000002
【図２】
0003612635.tif 000003
【図３】
0003612635.tif 000004
【図４】
0003612635.tif 000005
【図５】
0003612635.tif 000006
【図６】
0003612635.tif 000007